(57)【要約】【課題】コンテンツの画像及び音声の形式に関係なく、コンテンツの途中の任意の位置に、予め設定した長さの選択再生が可能な区分を簡易に作成することができるコンテンツ編集装置と編集方法を提供する。【解決手段】録画されたコンテンツの一部をチャプタとして区分して、選択的に再生するためのコンテンツ編集であって、編集操作のためのオンスクリーンディスプレイ表示手段６と、チャプタの開始フレーム画像を表示させる開始フレーム画像生成手段９と、所定時間間隔で複数の終了フレーム候補画像を表示させる終了フレーム候補画像生成手段１０と、チャプタの最終フレーム画像を決定するチャプタ範囲指定手段１１とを備える。【選択図】図１
2007184743.tif 000002
【特許請求の範囲】
【請求項１】
録画されたコンテンツの一部をチャプタとして区分して、選択的に再生するためのコンテンツ編集装置であって、
編集操作のためのオンスクリーンディスプレイ表示手段と、前記チャプタの開始フレーム画像を表示させる開始フレーム画像生成手段と、所定時間間隔で複数の終了フレーム候補画像を表示させる終了フレーム候補画像生成手段と、前記チャプタの最終フレーム画像を決定するチャプタ範囲指定手段とを備えていることを特徴とするコンテンツ編集装置。
【請求項２】
前記複数の終了フレーム候補画像の表示時間間隔を設定する画像表示間隔設定手段を備えていることを特徴とする請求項１に記載のコンテンツ編集装置。
【請求項３】
前記開始フレーム画像の生成から前記終了フレ−ム候補画像の最終フレーム画像の生成までの時間を設定する画像生成時間設定手段を備えていることを特徴とする請求項１〜２に記載のコンテンツ編集装置。
【請求項４】
前記チャプタ区分の設定又は設定変更する設定・変更手段を備えていることを特徴とする請求項１〜３のいずれか１項に記載のコンテンツ編集装置。
【請求項５】
前記コンテンツはテレビジョン放送の録画で、コマーシャル部分をチャプタとして区分することを特徴とする請求項１〜４のいずれか１項に記載のコンテンツ編集装置。
【請求項６】
録画されたコンテンツの一部をチャプタとして区分して、それぞれのチャプタを選択して再生するためのコンテンツ編集方法であって、
オンスクリーンディスプレイ表示により前記チャプタの始端となる開始フレーム画像を表示し、次いで所定時間間隔で複数の終了フレーム候補画像を表示し、前記終了フレーム候補画像の中から前記チャプタの終端とする終了フレーム画像を指定することにより、前記チャプタの範囲を決定することを特徴とするコンテンツ編集方法。
【発明の詳細な説明】
【技術分野】
【０００１】
本発明は、映像データのカットしたい部分と再生したい部分を区分して、それぞれの区分を選択して再生するためのコンテンツ編集装置とその編集方法に関する。
【背景技術】
【０００２】
テレビジョン放送された番組などのコンテンツを録画再生するに際して、録画番組中に含まれるコマーシャル（以下、ＣＭという）部分と、このＣＭ部分を除いた本編部分とを区分して、本編部分のみ又はＣＭ部分のみを選択的に再生する技術が提案されている（例えば、特許文献１参照）。この技術によれば、本編部分とＣＭ部分をそれぞれチャプタにより区分し、或いは、本編部分とそれに続くＣＭ部分を１つのチャプタにして区分し、チャプタ毎の再生やチャプタのスキップができる。
【０００３】
チャプタに区分する方法としては、本編部分とＣＭ部分の音声形式の違い（例えば、本編部分がモノラル、ＣＭ部分がステレオ）や、映像形式の違いを自動的に検出する。そして、検出された境界部分の先頭部分に、チャプタデータ（例えば、フラグ、時刻データ、アドレス）を記録することが行われている。
【特許文献１】特開２００５−６４９１４号公報
【発明の開示】
【発明が解決しようとする課題】
【０００４】
しかしながら、従来のＣＭカット機能を備えた記録再生装置では、本編部分がモノラルでＣＭ部分がステレオである番組に対しては、比較的その境界部分を検出しやすいが、本編部分がステレオ放送の場合は適用することができない。また、境界部分の検出に他の方法を用いることができるとしても、記録再生装置はそれに対応した検出手段を備えている必要がある。記録再生装置に、それぞれの境界検出方法に対応できる検出手段を備えることは、コストを増加させ、また、操作方法も複雑となって使用しづらいものとなる。
【０００５】
本発明は、上述した実情に鑑みてなされたもので、コンテンツの映像及び音声の形式に関係なく、コンテンツの途中の任意の領域で、予め設定した範囲の選択再生が可能な区分を、簡易に作成することができるコンテンツ編集装置及び編集方法の提供を目的とする。
【課題を解決するための手段】
【０００６】
本発明によるコンテンツ編集装置は、録画されたコンテンツの一部をチャプタとして区分して、選択的に再生するためのコンテンツ編集装置であって、編集操作のためのオンスクリーンディスプレイ表示手段と、チャプタの開始フレーム画像を表示させる開始フレーム画像生成手段と、所定時間間隔で複数の終了フレーム候補画像を表示させる終了フレーム候補画像生成手段と、チャプタの最終フレーム画像を決定するチャプタ範囲指定手段とを備える。
また、本発明によるコンテンツ編集装置は、複数の終了フレーム候補画像の表示時間間隔を設定する画像表示間隔設定手段、開始フレーム画像の生成から終了フレ−ム候補画像の最終フレーム画像の生成までの時間を設定する画像生成時間設定手段、チャプタ区分の設定又は設定変更する設定・変更手段を備えている。なお、コンテンツはテレビジョン放送の録画で、コマーシャル部分をチャプタとして区分する。
【発明の効果】
【０００７】
本発明によれば、コンテンツを再生しながら、所定の再生部分でカットしたい部分の開始個所で、編集開始のスイッチを入れることにより、カット始点となる開始フレーム画像を表示させ、続いて、予め設定された時間間隔で自動的にカット終了の候補となる複数の終了フレーム候補画像をサムネイル表示させることができる。この終了フレーム候補画像の中から、カット終了を希望する画像を指定することにより、簡単にカットしたいチャプタを任意の位置で、任意の時間分で設定することができる。したがって、コンテンツの映像形式や音声形式に関係なく、選択的に再生或いは再生カットを簡易に実現させることができる。
【発明を実施するための最良の形態】
【０００８】
図１により本発明の実施の形態を説明する。図中、１はコンテンツ取得手段、２は録画再生装置、３は編集装置、５は操作装置、６はＯＳＤ表示手段、７は編集画像生成手段、８は編集設定手段、９は開始フレーム画像生成手段、１０は終了フレーム候補画像生成手段、１１はチャプタ範囲指定手段、１２は画像表示間隔設定手段、１３は画像生成時間設定手段、１４は設定・変更手段を示す。
【０００９】
本発明は、テレビジョン放送又はインターネット等からコンテンツ取得手段１により取得し録画されたコンテンツを、録画再生装置２により再生して、編集装置３でコンテンツに複数のチャプタを形成する編集を行うものである。編集されたコンテンツは、別途再生するに際して、複数のチャプタを指定にしたがって自動的にカットして再生又は選択して再生することができる。なお、本発明によるコンテンツ編集は、一旦録画されたコンテンツを再生して編集する例で説明するが、外部からのコンテンツを取得中に実施することも可能である。
【００１０】
本発明によるコンテンツ編集装置及び編集方法を説明するに際して、分かりやすい例として、テレビジョン放送の番組で、番組の本編部分にＣＭ部分が挿入されているコンテンツを想定して説明する。テレビジョン放送の番組中のＣＭ部分は、一旦録画しておき再生する場合に、そのＣＭ部分の再生をカットして本編部分のみを連続して視聴したいという要望がある。このＣＭ部分は、本編部分に比べて比較的短時間であり、また、ＣＭ部分は１単位が１５秒程度であるとか、連続する時間はたかだか３分程度であるとか、ある程度の予想を立てることが可能である。このため、ＣＭの頭部分や終端部分の再生精度をあまり気にしないならば、放送番組を視聴しながら、ＣＭ部分をカットすることも可能であるが、非常に神経を使う作業となり失敗も多い。
【００１１】
本発明では、マニュアル操作ではあるが、あまり神経を使うことなく気楽に失敗のない編集操作を、再生装置の表示画面等を用いてオンスクリーンディスプレイ（ＯＳＤ：On Screen Display）表示で実施するものである。このため、本発明では、例えば、コンテンツの一部をチャプタとし、フラグを立てて他のチャプタと区別する編集（以下、カット編集という）を行うＯＳＤ表示手段６を備える。
【００１２】
ＯＳＤ表示する画像を生成する編集画像生成手段７には、例えば、カットしようとするチャプタの開始フレーム画像を生成し、ＯＳＤ表示させるための開始フレーム画像生成手段９を備える。また、開始フレーム画像が生成された後、カットしようとするチャプタの終了予定部分となる終了フレーム候補画像を、所定の時間間隔で順次生成する終了フレーム候補画像生成手段１０を備える。さらに、最終的に終了フレーム候補画像のうちから、カットしようとするチャプタの最終フレーム画像を決定するチャプタ範囲指定手段１１を備える。
【００１３】
また、上述のカット編集を設定する編集設定手段８には、上記の複数の終了フレーム候補画像を所定の時間間隔でサムネイル表示させるための画像表示間隔設定手段１２を備える。また、開始フレーム画像から最終の終了フレーム候補画像までの時間をどの位にするかを設定する画像生成時間設定手段１３と、これらの設定及び設定変更したりする設定・変更手段１４を備えることができる。
【００１４】
編集操作を実行するための操作装置５には、例えば、複数の機能ボタンを備えたリモコン装置を用いることができる。この操作装置５は、録画再生装置２の操作を行うボタンの他に、例えば、カットしようとするチャプタ作成のための、「開始」ボタン、操作の実行を決定する「決定」ボタン、画面のフォーカスを左右又は上下に移動又は変更する「カーソル」ボタン、操作の取り消しを行う「キャンセル」ボタン、編集の設定変更を行う「設定」ボタン等を備えている。なお、これらのボタンは、表示画面にＯＳＤ表示して選択するようにしてもよい。
【００１５】
次に、本発明によるコンテンツ編集装置の動作形態の一例を図２〜図７により説明する。図中、２０は再生画像、２１は再生状態表示部、２２は開始フレーム画像、２３は終了フレーム候補画像、２４ａは次画面マーク、２４ｂは前画面マーク、２５，２６，２７は項目部分、２５ａ，２６ａ，２７ａは時間設定マーク、２８は設定変更マークを示す。
【００１６】
図２は、取得したコンテンツをカット編集する際の、表示画面の遷移状態を示す図である。コンテンツを通常再生で再生しているときの通常再生画面（Ｎ）の状態で、例えば、ＣＭ部分をカットするためにその開始点で「開始」ボタンを操作すると、通常再生画面（Ｎ）内に編集画面（Ｍ）がＯＳＤ表示される。この表示に基づいて、「決定」ボタン又は、「キャンセル」ボタンを操作することにより、所定の範囲がチャプタに設定されるか又は編集取り消しの状態になって、通常再生画面（Ｎ）に戻る。
【００１７】
また、編集画面（Ｍ）の表示状態のときに「設定」ボタンを操作すると、通常再生画面（Ｎ）内に設定画面（Ｌ）がＯＳＤ表示される。この設定画面（Ｌ）の表示に基づいて画像表示間隔等を設定することができる。「決定」ボタン又は「キャンセル」ボタンを操作することにより、編集画面（Ｍ）に戻り、編集操作を継続させるか終了させることができる。
【００１８】
図３は、通常再生時における通常再生画面（Ｎ）の一例を示す図である。通常再生状態においては、再生画像２０を記録再生用の表示装置に表示するとともに、必要に応じて再生状態表示部２１により再生画像の状態表示が示される。この再生状態表示部２１には、例えば、再生中のコンテンツのチャンネル番号、モノラルかステレオか等を表示させることができる。
【００１９】
図４〜図５は編集画面（Ｍ）の一例を示す図である。先ず、再生中のコンテンツでカットしたい部分（例えば、コマーシャル部分）の画面になったときに、操作装置５の「開始」ボタンを押すと、コンテンツの再生状態は一時停止となり、図の編集画面（Ｍ）を通常再生画面上に重ねてＯＳＤ表示させることができる。なお、通常再生画面（Ｎ）を消して編集画面（Ｍ）のＯＳＤ表示のみとしてもよいが、ここでは、通常再生画面（Ｎ）上に重ねて表示する形態で説明する。
【００２０】
「開始」ボタンの操作で編集画面（Ｍ）が表示されると同時に、その時のコンテンツ再生時点における画像（Ａ）が、開始フレーム画像２２として静止画像で表示される。次いで、開始時点から１５秒後の画像（Ｂ）、３０秒後の画像（Ｃ）、４５秒後の画像（Ｄ）、１分後の画像（Ｅ）というように、一定間隔で複数の終了フレーム候補画像２３がサムネイル形式で、予め設定した終了フレーム画像の表示終了時間までのフレーム画像が表示される。
【００２１】
終了フレーム候補画像２３は、太枠の表示でフォーカスされ、「カーソル」ボタンを操作しなければ、１番目の画像（Ｂ）にフォーカスされている。このフォーカスは、「カーソル」ボタンを右又は左に操作することにより移動させることができる。複数の終了フレーム候補画像２３が、表示画面上に表示しきれない場合は、次画面マーク２４ａを付して、連続的に表示させるようにすることができる。この編集画面（Ｍ）で操作装置５の「キャンセル」ボタンを操作すると、編集状態が解除されて通常再生画面（Ｎ）に戻り、開始ボタンを押したフレームから再生が再開される。
【００２２】
図５は、図４に続く編集画面（Ｍ）を示し、次画面マーク２４ａにより、終了フレーム候補画像２３の続き画像（Ｆ）〜（Ｈ），（Ｚ）を表示させることができる。この表示画像では、終了フレーム候補画像２３の前画面があることを示す前画面マーク２４ｂが表示される。また、画像Ｚは、予め設定された終了フレーム画像の表示終了時間２７よりも、開始フレームからコンテンツの最終フレームまでの時間が短い場合に、コンテンツの最終フレーム画像が表示される。例えば、終了フレーム画像の表示終了時間が３分に設定されていて、開始フレームからコンテンツの最終フレームまでの時間が１分５０秒の場合、１分４５秒のフレーム画像のあとにコンテンツの最終フレーム画像が表示される。
【００２３】
全部の終了フレーム候補画像２３が表示された後、カットしたい部分の終了フレーム候補画像を「カーソル」ボタンを操作して、例えば、画像（Ｇ）をフォーカスする。次いで、「決定」ボタンを操作することにより、カットしたい部分の開始フレーム画像２２の画像（Ａ）を始端とし、終了フレーム候補画像２３のうちの指定した画像（Ｇ）を終端としたチャプタを形成して、そのチャプタにカットフラグをたてて識別できるようにする。この編集作業を終了すると、図３の通常再生画面（Ｎ）に戻って、選択した終了フレームから再生が再開される。
【００２４】
図６は、カット部分の設定を行う設定画面（Ｌ）の一例を示す図である。画像表示間隔（Ｔ）の項目部分２５には、複数の終了フレーム候補画像２３をどの程度の時間間隔で表示させるかを設定する時間を入力する。終了フレーム候補画像２３は、この時間間隔で表示される。設定値の変更は、例えば、「カーソル」ボタンを用いて設定マーク２５ａで数値を変更し、設定変更マーク２８をフォーカスして、「決定」ボタンを操作することで変更を確定する。
【００２５】
また、開始時間（Ｓ）の項目部分２６には、終了フレーム候補画像２３の最初の画像（Ｂ）として、開始フレーム画像２２からどの位の時間経過後のフレーム画像を表示させるかを設定する。終了時間（Ｒ）の項目部分２７には、最後の終了フレーム候補画像２３として、開始フレーム画像２２からどの位の時間経過後のフレーム画像を表示させるかを設定する。これらの設定は、「決定」ボタンで設定を確定し、「キャンセル」ボタンでもとの設定値に戻すことができる。開始時間（Ｓ）と終了時間（Ｒ）には、画像表示間隔（Ｔ）の倍数を選択することができる。この場合、終了フレーム候補画像２３は、Ｓ秒後、（Ｓ＋Ｔ）秒後、（Ｓ＋２Ｔ）秒後、（Ｓ＋３Ｔ）秒後、・・・・・及び、Ｒ秒後のフレーム画像となる。なお、開始時間（Ｓ）を終了時間時間より遅くなるように、誤って設定した場合は、終了時間は、開始時間と同じに変更される。
【００２６】
テレビジョン放送の番組でコマーシャル部分は、通常、１単位が１５秒程度であるので、例えば、画像表示間隔を１５秒とすると、図４及び図５で表示される終了フレーム候補画像２３として、１５秒間隔のフレーム画像が表示される。また、連続するＣＭ群が短くても１分、長くても３分であると仮定して、開始時間（Ｓ）を１分、終了時間（Ｒ）を３分とすると、表示される終了フレーム候補画像２３は、１分後、１分１５秒後、１分３０秒後、・・・、３分後となる。
【００２７】
図７は上述した編集画面及び設定画面でカット編集された録画番組等のコンテンツを、再生する方法の一例を説明する図である。図７（Ａ）に示す録画番組は、例えば、ｃｈａｐ１、ｃｈａｐ３、ｃｈａｐ５を録画番組の本編部分、網掛けのｃｈａｐ２、ｃｈａｐ４、ｃｈａｐ６をＣＭ部分とし、ＣＭ部分が本発明によりカット編集されているものとする。
【００２８】
ここで、図７（Ｂ）に示すように、ＣＭ部分を除いた本編部分のｃｈａｐ１、ｃｈａｐ３、ｃｈａｐ５のみを連続再生するには、カットフラグが立てられているＣＭ部分のｃｈａｐ２、ｃｈａｐ４、ｃｈａｐ６を再生しないようにすることで対応できる。また、図７（Ｃ）に示すように、ＣＭ部分のみを再生したい場合は、カットフラグが立てられているＣＭ部分のｃｈａｐ２、ｃｈａｐ４、ｃｈａｐ６のみを再生することで対応できる。さらに、図７（Ｄ）に示すように、本編部分のｃｈａｐ１、ｃｈａｐ３、ｃｈａｐ５のみを連続再生した後、引続いてＣＭ部分のｃｈａｐ２、ｃｈａｐ４、ｃｈａｐ６をまとめて再生することも可能である。これらの再生方法は、予めプレイリストを作成しておくことにより、容易に実行することができる。
【００２９】
しかし、一旦、カット編集したコンテンツのチャプタ区切りを変更したり、もとに戻したりするなどの、再編集したい場合がある。図８〜図１０は、このような再編集を可能とする実施形態を説明する図である。図８は、再編集時の表示画面の遷移状態を示す図である。この図８は、図２に示した表示画面の遷移状態に再編集が可能なように再編集選択画面（Ｋ）をＯＳＤ表示できるようにしたものである。
【００３０】
カット編集したコンテンツの再編集を行う場合、例えば、通常再生画面（Ｎ）でカット編集で形成されたチャプタの再生中に、「開始」ボタンを操作することにより再編集選択画面（Ｋ）をＯＳＤ表示させる。このときコンテンツの再生状態は一時停止となる。図９は、ＯＳＤ表示される再編集選択画面（Ｋ）の一例を示す図で、「編集解除」、「終了点再選択」、「キャンセル」等の処理項目を選択する表示画面である。
【００３１】
この再編集選択画面（Ｋ）により、「編集解除」の処理項目をフォーカス（選択）して、「決定」ボタンを操作することにより、カット編集が解除されチャプタの始端と終端のチャプタ区切りを消去することができる。その後、通常再生画面（Ｎ）に戻り、開始ボタンを押したフレームから再生が再開される。また、「キャンセル」の処理項目を選択することにより、編集状態が解除されて通常再生画面（Ｎ）に戻り、開始ボタンを押したフレームから再生が再開される。
【００３２】
この再編集選択画面（Ｋ）により、「終了点再選択」の処理項目を選択すると、編集画面（Ｍ）に表示画面が遷移する。この編集画面（Ｍ）の表示状態のときに「設定」ボタンを操作すると、図６で説明した設定画面（Ｌ）がＯＳＤ表示される。この設定画面（Ｌ）の表示に基づいて画像表示間隔（Ｔ）、開始時間（Ｓ）、終了時間（Ｒ）等を再設定することができる。「決定」ボタンを操作することにより、編集画面（Ｍ）に戻って編集操作を継続させる。
【００３３】
編集画面（Ｍ）においては、新たに所定の時間間隔で複数の終了フレーム候補画像がサムネイル表示される。新たにカットしたい部分の終了フレーム候補画像を「カーソル」ボタンを操作してフォーカスする。次いで、「決定」ボタンを操作することにより、以前に作成されたチャプタの終了フレームは、指定した終了フレーム候補画像のフレームに変更される。なお、この場合、チャプタの開始フレームは、以前設定したままで変更されない。
【００３４】
図１０は、上述した再編集の録画番組コンテンツの変更形態を示す図である。図１０（Ａ）は、再編集前のカット編集された録画番組コンテンツの状態で、ｃｈａｐ２、ｃｈａｐ４がカット編集されたＣＭ部分、ｃｈａｐ１、ｃｈａｐ３、ｃｈａｐ５がＣＭ部分を除いた本編部分で、ＣＭ部分と本編部分を合わせて合計５つのチャプタで構成されているものとする。図１０（Ｂ）は、図１０（Ａ）のカット編集された録画番組コンテンツで、ｃｈａｐ２のカット編集を解除した状態を示している。再編集前のｃｈａｐ２のカット編集を解除することにより、ｃｈａｐ１とｃｈａｐ２の間のチャプタ区切り、ｃｈａｐ２とｃｈａｐ３の間のチャプタ区切りがなくなり、ｃｈａｐ１〜ｃｈａｐ３が１つのチャプタとなってｃｈａｐ１となり、全体では３つのチャプタで構成されたものに変更される。図１０（Ｃ）は、図１０（Ａ）のｃｈａｐ２の終了点を再選択して変更した例を示し、ｃｈａｐ２とｃｈａｐ３の間のチャプタ区切りの位置を変更している。
【００３５】
上述の実施形態は、テレビジョン放送の録画番組コンテンツ中のＣＭ部分をカットする形態で説明したが、特にＣＭ部分のカットに限定することなく、本編部分のカットにも適用するようにしてもよい。また、カットする部分として形成したチャプタは、必ずしもカットすることを前提とせず、コンテンツを複数に区分するための区分設定の形態の１つとして利用することもできる。また、コンテンツには、ＣＭ部分を含まないものであってもよく、この場合、コンテンツの中で、特にピックアップして視聴したい部分を区分したり、反対に視聴を省略したい部分を区分したりするような場合にも利用することができる。
【図面の簡単な説明】
【００３６】
【図１】本発明の概略を説明するブロック図である。
【図２】編集時の表示画面の遷移状態を示す図である。
【図３】通常再生時の通常再生画面の一例を示す図である。
【図４】編集時の編集画面の一例を示す図である。
【図５】図４の編集画面の続きの一例を示す図である。
【図６】編集設定時の設定画面の一例を示す図である。
【図７】カット編集された録画番組等のコンテンツを、再生する方法の一例を説明する図である。
【図８】再編集時の表示画面の遷移状態を示す図である。
【図９】再編集選択画面の一例を示す図である。
【図１０】再編集する録画番組等のコンテンツの変更形態の一例を示す図である。
【符号の説明】
【００３７】
１…コンテンツ取得手段、２…録画再生装置、３…編集装置、４…外部機器、５…操作装置、６…ＯＳＤ表示手段、７…編集画像生成手段、８…編集設定手段、９…開始フレーム画像生成手段、１０…終了フレーム候補画像生成手段、１１…チャプタ範囲指定手段、１２…画像表示間隔設定手段、１３…画像生成時間設定手段、１４…設定・変更手段、２０…再生画像、２１…再生状態表示部、２２…開始フレーム画像、２３…終了フレーム候補画像、２４ａ…次画面マーク、２４ｂ…前画面マーク、２５，２６，２７…項目部分、２５ａ，２６ａ，２７ａ…時間設定マーク、２８…設定変更マーク。
【図１】
2007184743.tif 000003
【図２】
2007184743.tif 000004
【図３】
2007184743.tif 000005
【図４】
2007184743.tif 000006
【図５】
2007184743.tif 000007
【図６】
2007184743.tif 000008
【図７】
2007184743.tif 000009
【図８】
2007184743.tif 000010
【図９】
2007184743.tif 000011
【図１０】
2007184743.tif 000012